(57)【要約】【課題】防犯性に優れたドアスコープを備えたドアを提供する。【解決手段】ドアスコープ２０を備えたドア１０であって、ドアスコープが取り付けられる位置にドアスコープの室外側端部外周に沿った内周面を有し、室内側方向を深さ方向とした窪みである凹部１５ａを有する室外側面を備え、ドアスコープの室外側端部の全部が凹部内に没していることとする。【選択図】図３
2007132056.tif 000002
【特許請求の範囲】
【請求項１】
ドアスコープを備えたドアであって、
前記ドアスコープが取り付けられる位置に、前記ドアスコープの室外側端部外周に沿った内周面を有し、室内側方向を深さ方向とした窪みである凹部を有する室外側面を備え、
前記ドアスコープの室外側端部の全部が前記凹部内に没していることを特徴とするドア。
【請求項２】
前記ドアスコープの室外側端部外周及び前記凹部の内周面の少なくとも１箇所に円弧でない部分を有する請求項１に記載のドア。
【発明の詳細な説明】
【技術分野】
【０００１】
本発明は、戸建やマンション、公共施設等の建物に設置されるドアスコープを備えたドアに関し、詳しくは、防犯性に優れたドアスコープを備えたドアに関する。
【背景技術】
【０００２】
近年における犯罪手口の多様化にともない、建物に備えられるドアに関する犯罪も内容が多様化している。建物のドアに関係する犯罪としては例えばドアに取り付けられた施錠装置を不正に解錠して室内に侵入するいわゆるピッキング等を挙げることができる。また、その他にもドアの一部に設けられた孔を利用して他人のプライバシーを侵害する行為等もある。
【０００３】
このピッキングや他人のプライバシーの侵害行為に利用されていたものの１つに、ドアに備えられたドアスコープを挙げることができる。ドアスコープとは、ドアを開けることなしに室内側から室外側を視認することができるように設けられたスコープで、ドアの室内外を貫通した孔にスコープが取り付けられたものである。ドアスコープが取り付けられた状態のドアでは、当該スコープを介して室外側から室内側に何かを入れることや、室内側を窺い知ることができず上述のような犯罪行為をすることはできない。
【０００４】
従来において、ドアスコープは次のような構造を有していた。図６に従来のドア２１０におけるドアスコープ２２０が配置された部分の断面図を示した。図６では紙面左が室外側、紙面右が室内側である。ドアスコープ２２０は、室外側スコープ２３０と、室内側スコープ２４０とを備え、凹凸の関係にある室外側及び室内側スコープ２３０、２４０が対応するネジ溝２３３ａ、２４２ａを有していることによりねじ込まれて係合する。このとき、ドアスコープ２２０は、ドア２１０の室内外を貫通した孔を貫いて配置され、ドアスコープ２２０の両端部に形成された頭部２３１、２４１でドア２１０を室内外方向に挟むように固定される。組み立てられた姿勢で、ドアスコープ２２０の内側には室内外を貫通した孔２３５、２４５が形成されるので、この孔２３５、２４５を介して室内側から室外側を見ることができる。孔２３５、２４５の内側にはガラスが、孔２３５の内側にはさらにレンズが取り付けられているので、この孔２３５、２４５を介して物理的に何か物を差し込む等はできないように構成されている。
【０００５】
このような従来におけるドアスコープを備えたドアの構成は特に文献により開示されているものではないが、当業者により通常に行われている事項であり、実際のドアに適用されているところである。
【発明の開示】
【発明が解決しようとする課題】
【０００６】
しかし、上述のような従来の構造を有するドアスコープは、室外側に一端が突出して配置されており、該突出した部分を工具等で挟んで力を加え、回転等させるとスコープがドアから取り外されてしまう場合がある問題があった。スコープが不正に取り外されるとドアには室内外を貫通した孔が室外側に露出し、この孔を利用したピッキングやプライバシーの侵害行為等が行われる虞があった。
【０００７】
また、スコープが取り外せないようにするとの観点からスコープを室内外方向に強く締めすぎると、ドアの室内外面を構成している板が変形してしまう問題もあった。
【０００８】
そこで、本発明は防犯性に優れたドアスコープを備えたドアを提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、ドアスコープ（２０）を備えたドア（１０）であって、ドアスコープが取り付けられる位置に、ドアスコープの室外側端部外周に沿った内周面を有し、室内側方向を深さ方向とした窪みである凹部（１５ａ）を有する室外側面を備え、ドアスコープの室外側端部の全部が凹部内に没していることを特徴とするドアを提供することにより前記課題を解決する。
【００１１】
ここで、「ドアスコープの室外側端部の全部が凹部内に没している」とは、ドアスコープの室外側端面が凹部の室外側開口面よりも室内側に配置されるのみでなく、ドアスコープの室外側端面が凹部の室外側開口面と面一に配置されることも含まれる概念である。
【００１２】
請求項２の発明は、請求項１に記載のドアのドアスコープ（１２０）の室外側端部（１３１）外周及び凹部（１１５ａ）の内周面の少なくとも１箇所に円弧でない部分（１１５ｂ、１３１ａ）を有することとする。
【発明の効果】
【００１３】
請求項１に記載の発明によれば、ドアスコープの室外側端部の全部が凹部内に没しているので、ドアスコープの室外側端部が室外側に突出しない。これにより、工具等でドアスコープを挟むことができず、ドアスコープを室外側から不正に取り外すことができない。よって防犯性に優れたドアを提供することが可能となる。また、ドアの室外側面には凹部が形成されているのでドアの室外側板材等の強度が向上し、ドアスコープを取り付ける際に室外側面の変形を抑えることができ、施工性にも優れたドアとすることができる。さらには、これら効果を備えるために、室外側面に凹部を設けるのみで良く、他に付加的な部材等を必要としてないので、材料や工程を大きく変更することなくコストを低く抑えることも可能となる。
【００１４】
請求項２に記載の発明によれば、たとえいずれかの方法でドアスコープが不正に室外側から工具等で挟まれる等されても、凹部とドアスコープとが干渉し、ドアスコープは回転できない。従って、ドアスコープを取り外すことはできず、さらに防犯性の高いドアスコープを備えたドアを提供することができる。
【００１５】
本発明のこのような作用及び利得は、次に説明する発明を実施するための最良の形態から明らかにされる。
【発明を実施するための最良の形態】
【００１６】
以下本発明を図面に示す実施形態に基づき説明する。
【００１７】
図１は、第一実施形態に係る本発明のドア１０を備えた開口部装置５０を概略的に示す正面図である。図１（ａ）は、開口部装置５０を室外側から見た正面図であり、図１（ｂ）は、開口部装置５０を室内側から見た正面図である。
【００１８】
開口部装置５０では、建物開口部の４辺に沿って取り付けられた枠体１と該枠体の内側に配置される本発明のドア１０とを備えている。図１（ａ）からわかるようにドア１０は室外視で、室外側把手１１と、該室外側把手１１の上下に設けられたシリンダー錠１２、１２と、ドアスコープ２０とを備えている。よって使用者は、シリンダー錠１２、１２によりドア１０の内側に配置された不図示の錠箱が解錠されれば、例えば室外側把手１１を掴んで扉を紙面手前方向に回動させる等の方法により、扉を室外側に開くことができる。また、ドアスコープ２０は室外側に露出して備えられているものの、室外側からは室内側を明確に見ることはできないようにされている。さらにドアスコープ２０は、室外側からドアスコープが工具等によっても取り外せないように構成されている。これによって防犯性に優れたドア１０とすることが可能となる。ドアスコープ２０に関するドア１０の構造及び取り付けについては後で詳しく説明する。
【００１９】
また、図１（ｂ）からわかるようにドア１０は室内視で、室内側把手１３と、該室内側把手１３の上下に設けられた室内錠１４、１４と、ドアスコープ２０とを備えている。よって使用者は、室内錠１４、１４のサムターン操作等によりドア１０の内側に配置された不図示の錠箱が解錠されれば、例えば室内側把手１３を掴んで扉を紙面奥方向に回動させる等の方法により、扉を室外側に開くことができる。また、ドアスコープ２０は室内側に露出して備えられ、ドア１０を開けることなしに室外側を見ることが可能となる。
【００２０】
ここで、室外側把手１１、シリンダー錠１２、１２、室内側把手１３、室内錠１４、１４は、その種類が特に限定されるものではなく通常のドアに用いられるあらゆるものを適用することが可能である。
【００２１】
また、ドアの開閉形態も通常のドアとして適用されるいずれの種類のドアであっても良い。本実施形態においては、いわゆるスイング形式のドアを示しているが、例えば引戸式のドアであっても良い。いずれにおいても本発明は、ドアスコープが備えられるドアであればその形態は限定されるものではない。
【００２２】
図２は、図１（ａ）に示したドア１０のドアスコープ２０の備えられた部位を拡大して示した室外視正面図である。ドアスコープ２０は正面視で円形であり、後述するように室内外方向（紙面奥／手前方向）を軸とする筒状とされている。また、ドア１０の室外側面にはドアスコープ２０の外形に沿って室内側（紙面奥側）に凹部１５ａが形成されている。当該凹部１５ａ内にドアスコープ２０の室外側端部が没して配置されている。各部材の配置については次に詳しく説明する。
【００２３】
図３は図２で示したドア１０におけるドアスコープ２０の周囲の断面を示した図である。図３では紙面左が室外側、紙面右が室内側となる。また、理解容易のため、ドアスコープ２０については断面とはしていない。ドア１０は、室外側板材１５と室内側板材１６とコア材１７とを備えている。室外側板材１５は、ドア１０における室外側面を構成する板材で、室内側板材１６はドア１０における室内側面を構成する板材である。室外側板材１５と室内側板材１６とは所定の間隔を有して略平行に配置されており、該間隔がドア１０の厚みを形成している。
【００２４】
コア材１７は、室外側板材１５と室内側板材１６との間に配置されている。コア材１７は室内側板材１５と室内側板材１６との間を満たすように配置されており、ドア１０の断熱性や強度を向上させている。
【００２５】
また、ドア１０の一部にはドアスコープ２０が取り付けられる部位に室内外に通じた貫通孔が設けられている。該貫通孔の大きさや断面形状等はドアスコープ２０とともに後で説明する。
【００２６】
次にドアスコープ２０及び該ドアスコープ２０が取り付けられる部位における室外側板材１５、室内側板材１６及びコア材１７の形状等について説明する。ドアスコープ２０は、図２に示したように正面視で円形であるとともに、図３に示したように側面視では両端部で径が大きく形成された筒状である。さらに詳しくは、ドアスコープ２０は、室外側スコープ３０と室内側スコープ４０とを備えている。
【００２７】
室外側スコープ３０は、頭部３１と被係合部３２とを有している。頭部３１と被係合部３２とは同軸で一体に形成された円筒であり、頭部３１は被係合部３２よりも径が大きく形成されている。また、室外側スコープ３０は長手方向に孔３３、３５を有している。２つの孔３３、３５は室外側スコープ３０の長手方向に同軸に並べられることにより、該室外側スコープ３０の長手方向に貫通した孔を形成している。また、室内側に配置された孔３３の内周面は、ねじ溝３３ａを有している。
【００２８】
室内側スコープ４０は、頭部４１と係合部４２とを有している。頭部４１と係合部４２とは同軸で一体に形成された円筒であり、頭部４１は係合部４２よりも径が大きく形成されている。また、係合部４２の外周面には上述の被係合部３２に設けられたねじ溝３３ａに対応するねじ溝４２ａが設けられている。さらに、室内側スコープ４０は長手方向に貫通した貫通孔４５を有している。
【００２９】
室外側スコープ３０の孔３５、及び室内側スコープ４０の貫通孔４５のそれぞれには不図示ガラスが配置され、室外側スコープ３０の孔３５にはさらにレンズが取り付けられている。
【００３０】
一方、図３に示したように、ドアスコープ２０が取り付けられる部位における室外側板材１５は凹部１５ａが設けられている。凹部１５ａは、図２に示したように、正面視で頭部３１より若干大きな径を有する円形で、深さは図３に示したように、頭部３１の厚みと略同じである。また、凹部１５ａの底面部分には被係合部３２の外形と略同一の貫通孔が設けられている。
【００３１】
同様に、コア材１７及び室内側板材１６にも室外側スコープ３０の被係合部３２の外形と略同一の形状を有する貫通孔が設けられている。
【００３２】
次に、ドアスコープ２０の各部材の配置について説明する。室外側スコープ３０は室外側に、室内側スコープ４０は室内側に配置される。このとき室外側スコープ３０の被係合部３２のねじ部３３ａと室内側スコープ４０の係合部４２に設けられたねじ部４２ａとがねじ込まれて係合される。ここで、室外側スコープ３０は室外側板材１５の室外側から、室内側スコープ４０は室内側板材１６の室内側から該室外側板材１５、室内側板材１６、及びコア材１７に設けられた貫通孔を貫通するようにしてねじ込まれる。従って、ドアスコープ２０は、該ドアスコープ２０の２つの頭部３１、４１によってドア１０を室内外方向に挟み込むように取り付けられる。これにより、貫通孔３５、４５は室内外に一直線上に並び、室内側から室外側を見ることができるようになる。
【００３３】
また、室外側スコープ３０の頭部３１は、室外側板材１５の凹部１５ａ内に没して配置される。これにより、室外側スコープ３０の頭部３１は、室外側に突出せず、例えば工具等で頭部３１の外周部分を挟むことができないので、室外側スコープ３０を不正にはずすことができない。よって、防犯性に優れたドアスコープ２０を備えたドア１０を提供することができる。
【００３４】
また、室外側板材１５に凹部１５ａが設けられ、当該部分は室内側に折り曲げられた部位を有しているので、強度が高められている。従って、室外側スコープ３０と室内側スコープ４０とを互いにねじにより係合する際の力に対して従来よりも変形が少なく、施工性の高いドア１０とすることができる。
【００３５】
さらには、このような効果を備えるために、他に特別の部材や複雑な加工工程を必要としないので、コストを低く抑えることも可能である。
【００３６】
図４は、第一実施形態に係る本発明のドア１０の変形例を示した図で、図３と同様の視点で示したものである。従って図４は、ドア１０におけるドアスコープ２０’の周囲の断面を示した図である。図４では図３と同様、紙面左が室外側、紙面右が室内側となる。また、理解容易のため、ドアスコープ２０’については断面とはしていない。当該変形例においては、第一実施形態で説明したドアスコープ２０の室内外の配置を逆にして取り付けたもので、図４ではドアスコープ２０’として表している。ドアスコープ２０’を構成する各部についても同様に「’」を付けて表示している。
【００３７】
変形例では、第一実施形態で説明したドアスコープ２０の室内外の配置を逆としたのみであるので詳細の説明は省略するが、このようなドアスコープ２０’を備えたドア１０についても、第一実施形態で説明したドア１０と同様の効果を得ることができる。
【００３８】
図５は、第二実施形態に係るドアに備えられたドアスコープ１２０の部分を拡大して示した室外視正面図である。ドアスコープ１２０以外の部位については第一実施形態と同じであるので、説明を省略する。第一実施形態のドア１０に備えられたドアスコープ２０は室外視正面図では円形であったが、ドアスコープ１２０は、室外側スコープ１３０の頭部１３１の一部に切り欠き部１３１ａを有している。また、室外側板材に設けられた凹部１１５ａも当該切り欠き部１３１ａに対応して非円形部１１５ｂを有している。
【００３９】
これにより、室外側スコープ１３０は凹部１１５ａに干渉するので回転することができず、さらに防犯性の高いドアスコープ１２０を備えたドアを提供することができる。
【００４０】
このように、室外側スコープの頭部形状と凹部の形状との間に上述のような干渉する関係があることにより、さらに防犯性の高いドアスコープを備えたドアを提供することができる。よって、形状としては例えば三角形や四角形、その他多角形であっても良い。第二実施形態においては、製造の簡易性及びそれにともなう低コスト化の観点から一部に切り欠き部を有するものとした。
【００４１】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更をともなうドアも本発明の技術的範囲に包含されるものとして理解されなければならない。
【図面の簡単な説明】
【００４２】
【図１】第一実施形態に係る本発明のドアの正面図である。
【図２】第一実施形態に係るドアに備えられるドアスコープの周辺における室外視正面図である。
【図３】第一実施形態に係るドアに備えられるドアスコープ周辺における断面図である。
【図４】第一実施形態の変形例に係るドアに備えられるドアスコープ周辺における断面図である。
【図５】第二実施形態に係るドアに備えられるドアスコープの周辺における室外視正面図である。
【図６】従来のドアに備えられるドアスコープ周辺における断面図である。
【符号の説明】
【００４３】
１  枠体
１０  ドア
１１  室外側把手
１２  シリンダー錠
１３  室内側把手
１４  室内錠
１５  室外側板材
１５ａ  凹部
１６  室内側板材
２０  ドアスコープ
３０  室外側スコープ
３１  頭部
３２  被係合部
４０  室内側スコープ
４１  頭部
４２  係合部
５０  開口部装置
【図１】
2007132056.tif 000003
【図２】
2007132056.tif 000004
【図３】
2007132056.tif 000005
【図４】
2007132056.tif 000006
【図５】
2007132056.tif 000007
【図６】
2007132056.tif 000008